【事件の表示】
　特願２００４−１９４８９２「画像編集方法及び画像編集装置並びにプログラム」拒絶査定不服審判事件〔平成１８年　１月１９日出願公開、特開２００６−　１８５２２〕について、次のとおり審決する。
【結　論】
　本件審判の請求は、成り立たない。
【理　由】
１．手続の経緯
　本願は，平成１６年６月３０日の出願であって，平成２０年１１月４日付けで拒絶査定がなされ，これに対し，同年１２月８日に拒絶査定に対する審判請求がなされるとともに，平成２１年１月７日付けで手続補正がなされたものである。
　
２．平成２１年１月７日付けの手続補正についての補正却下の決定
[補正却下の決定の結論]
　平成２１年１月７日付けの手続補正を却下する。
[理由]
（１）補正後の本願発明
　本件補正により，特許請求の範囲の請求項１は，
「
画像の
指定
ことで，編集対象領域を選択する
　
前記選択ステップで選択された編集対象領域の領域ベクトルを編集領域管理テーブルに書き込んで記憶部に記憶する記憶ステップと，
　前記解除ステップにより前記編集対象領域を解除した後に，前記編集対象領域内の位置を指示
し，前記編集領域管理テーブルに格納された前記編集対象領域の領域ベクトルと前記画像に含まれる矩形領域の領域ベクトルを検索することで
または前記画像に含まれる矩形領域
　を備えることを特徴とする画像編集方法。」と補正された。
　そこで検討すると，上記補正は，補正前の請求項１に記載した発明を特定する事項について，限定的に減縮したものとはいえない。すなわち，「選択ステップで選択された編集対象領域の領域ベクトルを編集領域管理テーブルに書き込んで記憶部に記憶する」点は，「記憶ステップ」について限定的に減縮したものと解されるが，補正前の請求項１には発明を特定する事項として「記憶ステップ」はない。また，他の事項を限定的に減縮したものとも解されない。さらに，「矩形領域」については，補正前の請求項１にない事項であり，当該補正により新たな事項が追加されているものである。
　してみれば，当該補正は限定的減縮を目的とするものに該当するとはいえない。また，当該補正は，（拒絶理由通知に係る拒絶の理由に示す事項についてする）明りょうでない記載の釈明あるいは誤記の訂正を目的としているものに該当するともいえない。
　よって，上記補正は，平成１８年法律第５５号改正附則第３条第１項によりなお従前の例によるとされる同法による改正前の特許法第１７条の２第４項の規定に違反するので，特許法第１５９条第１項において読み替えて準用する特許法第５３条第１項の規定により却下されるべきものである。
　
３．本願発明について
（１）本願発明
　平成２１年１月７日付けの手続補正は上記のとおり却下され，平成２０年９月２９日付けの手続補正は却下となっているので，本願の請求項１ないし３に係る発明は，平成２０年６月９日付け手続補正書において補正された明細書の特許請求の範囲の請求項１ないし３に記載された事項により特定されるものと認められるところ，その請求項１に係る発明（以下，「本願発明」という）は以下のとおりのものである。
「編集対象領域を選択する選択ステップと，
　前記選択ステップにおいて選択された編集対象領域の選択を解除する解除ステップと，
　
前記解除ステップにより前記編集対象領域を解除した後に，
の位置
　を備えることを特徴とする画像編集方法。」
　
（２）刊行物
ア　原審拒絶理由で引用された，本願の出願日前である平成９年５月２日に頒布された「特開平９−１１６７３８号公報」（以下，「刊行物」という）は，「画像形成装置」に関するものであって，その公報には次の事項が記載されている。
（ア）「図１０は，カラー画面キー６００をタッチ操作した場合のエリア加工モードのエリア編集画面を示し，６００はカラー画像キーで，同図に示すエリア編集画面の基本画面を指定するキーである。６０１はカラー加工キーで，ペイント・アンダーカラー・カラー変換・カラー消去等のカラー加工モードを設定する際に使用する。６０２はクリエイトキーで，影付け・中抜き・斜体等のクリエイトモードを設定する際に使用する。６０３は自動濃度キー，６０４はコピー濃度キー，６０５はカラーモードキー，６０６は画質モードキーである。また，６０８は解除して閉じるキーで，エリア編集画面で行った操作を全てクリアして図９のエリア指定画面に戻る際に使用する。６０７は閉じるキーで，エリア編集画面で行った操作を保存したまま，次の作業に進む際に使用する。なお，設定されたモードのキーは反転表示される。
図１１は，エリア加工モードの内容確認画面を示し，図７のエリア加工モードの原稿画像表示画面上において内容確認キー５１７をタッチ操作すると，対象となる原稿画像とそれまで設定したエリア（ここでは，エリア１〜エリア３）とが図示のごとく，液晶表示画面４０７ａ上に表示される。図において，戻るキー６０９は内容確認を取り消し，または終了して図７の原稿画像表示画面に戻る際に使用する。内容修正キー６１０はエリアの設定内容（設定されている複写条件）を確認または変更する際に使用する。図において，内容確認画面上に表示されているエリアを入力ペン４０７ｈ（図２参照）を用いてタッチ操作し，内容修正キー６１０をタッチ操作すると，該当するエリアの設定内容が内容一覧として表示される。」（６頁段落【００４３】ないし【００４４】，図７，９，１０，１１）
（イ）「ステップＳ１３２１では，領域編集データ管理部４０６（図１参照）の領域座標・画像編集条件管理テーブル４０６ａの該当するグループの複写条件データ領域に，複写条件として設定されたモードとカラーを登録する。その後，ステップＳ１３０５へ戻り，図７の原稿画像表示画面を表示する。
一方，ステップＳ１３２２では，内容確認キー５１７のタッチ操作に伴って，図１１の内容確認画面を表示する。この画面で，戻るキー６０９をタッチ操作すると（Ｓ１３２３），ステップＳ１３０５へ戻り，図７の原稿画像表示画面を表示する。一方，戻るキー６０９がタッチ操作されない場合には，内容確認を行うエリアが指定されているか否かを判定し（Ｓ１３２４），エリア指定済みでなければ，オペレータが入力ペン４０７ｈ（図２参照）を用いて所望のエリアにタッチ操作して，座標入力するのを待って（Ｓ１３２５），座標入力されると，操作表示ユニット制御部４０１は，領域編集データ管理部４０６の領域座標・画像編集条件管理テーブル４０６ａおよび領域管理テーブル４０６ｂを検索して，入力ペン４０７ｈで指定された入力座標を含むエリアがあるか否かを判定する（Ｓ１３２６，Ｓ１３２７）。
（中略）
一方，該当するエリアがある場合，液晶表示画面４０７ａ上における該当エリアの表示および該当エリアの所属するグループの表示を変更して他のエリアと差別化して表示させ（Ｓ１３２８），ステップＳ１３２３へ戻る。具体的には，図１６に示すように，該当エリアとしてエリア１が検索され，かつ，エリア１と同一のグループとしてエリア２が存在する場合，エリア１とエリア２の表示カラーを変更して差別化したり，あるいはエリア１とエリア２の枠線表示を他のエリア（ここでは，エリア３）と変えて表示させる。」（７頁段落【００５６】ないし【００５９】，図１０，１１，１２，１６）
（ウ）「一方，ステップＳ１３２４でエリア指定済みの場合には，内容修正キー６１０がタッチ操作（ＯＮ）されたか否かを判定し（Ｓ１３２９），内容修正キー６１０がＯＮされていれば，操作表示ユニット制御部４０１は，領域編集データ管理部４０６の領域座標・画像編集条件管理テーブル４０６ａおよび領域管理テーブル４０６ｂから，該当エリア（すなわち，該当グループ）の複写条件を検索し（Ｓ１３３０），設定されている複写条件に基づいて，図１２の内容一覧画面を表示する（Ｓ１３３１）。
図１２の内容一覧画面において，解除して戻るキー６１３または閉じるキー６１２をタッチ操作すると（Ｓ１３３２，Ｓ１３３３），ステップＳ１３２２へ戻り，図１１の内容確認画面を表示する。また，戻るキー６１１をタッチ操作すると（Ｓ１３３４），図１０のエリア編集画面を表示し，複写条件を再設定可能とする（Ｓ１３３５）。
図１０のエリア編集画面上で所望のカラー加工に修正（再設定）し，その後，解除して閉じるキー６０８がＯＮされると（Ｓ１３３６），ステップＳ１３２２へ戻り，再度図１１の内容確認画面を表示する。また閉じるキー６０７がＯＮされると（Ｓ１３３７），ステップＳ１３３８へ進む。
ステップＳ１３３８では，領域編集データ管理部４０６（図１参照）の領域座標・画像編集条件管理テーブル４０６ａの該当するグループの複写条件データ領域に，複写条件として設定されたモードとカラーを再登録（修正）する。その後，ステップＳ１３２２へ戻り，再度図１１の内容確認画面を表示する。」（７頁段落【００６０】ないし【００６３】，図１０，１１，１２）
（エ）上記３．（２）ア（ア）（イ）によれば，刊行物には，以下の発明（以下，「刊行物発明」という）が記載されている。
「オペレータが入力ペン４０７ｈを用いて所望のエリアにタッチ操作して，座標入力するのを待って，座標入力されると，操作表示ユニット制御部４０１が，領域編集データ管理部４０６の領域座標・画像編集条件管理テーブル４０６ａおよび領域管理テーブル４０６ｂを検索して，入力ペン４０７ｈで指定された入力座標を含むエリアがあるか否かを判定し，該当するエリアがある場合，液晶表示画面４０７ａ上における該当エリアの表示および該当エリアの所属するグループの表示を変更して他のエリアと差別化して表示させる編集方法」
　　
（３）対比・判断
ア　本願発明と刊行物発明との対比
（ア）刊行物発明は，入力ペンにより所望のエリア（本願発明の「編集対象領域」に相当）にタッチ操作して座標入力されると，操作表示ユニット制御部４０１が，領域編集データ管理部４０６の領域座標・画像編集条件管理テーブル４０６ａおよび領域管理テーブル４０６ｂを検索して，入力ペン４０７ｈで指定された入力座標を含むエリアがあるか否かを判定し，該当するエリアがある場合，液晶表示画面４０７ａ上における該当エリアの表示および該当エリアの所属するグループの表示を変更して他のエリアと差別化して表示させるから，本願発明と刊行物発明とは，「編集対象領域を選択する選択ステップ」，及び，「編集対象領域内の位置を指定することにより，前記編集対象領域を選択する領域選択ステップ」を備える点で一致している。
　また，刊行物発明と本願発明とは「画像編集方法。」において一致する。
（イ）したがって，両者は，
「編集対象領域を選択する選択ステップと，
前記編集対象領域内の位置を指定することにより，前記編集対象領域を選択する領域選択ステップと
　を備えることを特徴とする画像編集方法。」である点で一致し，次の点で相違しているものと認められる。
ａ　本願発明は，「選択ステップにおいて選択された編集対象領域の選択を解除する解除ステップと，前記解除ステップにより前記編集対象領域を解除した後に，」前記編集対象領域内の位置を指定することにより，前記編集対象領域を「再度」選択する方法であるのに対し，刊行物発明は，編集対象領域内の位置を指定することにより，前記編集対象領域を選択する点
　　
イ　相違点ａについての検討
　上記３．（２）ア（ウ）によれば，刊行物には，エリア指定済みの場合に，解除して閉じると内容確認画面（図１１）に戻る点が記載されている。そして，上記３．（２）ア（イ）によれば，該当するエリアがある場合，液晶表示画面４０７ａ上における該当エリアの表示を変更して他のエリアと差別化して表示させ（図１６）るところ，内容確認画面（図１１）においては，そのように差別化されておらず，エリアが選択されていないことが示唆されているといえる。
　そして，解除して閉じると内容確認画面（図１１）に戻るのであるから，その戻った内容確認画面において，解除して閉じたエリアを，再びエリア指定により選択することは適宜なし得る程度のことといえる。
　してみれば，「選択ステップにおいて選択された編集対象領域の選択を解除する解除ステップと，前記解除ステップにより前記編集対象領域を解除した後に，」前記編集対象領域内の位置を指定することにより，前記編集対象領域を「再度」選択する点は，当業者にとって容易に推考できたものであり，また，上記相違点に基づく本願発明の効果に格別顕著なものがあるともいえない。
　
（４）むすび
　したがって，本願発明は，刊行物発明に基いて当業者が容易に発明をすることができたものであるので，本願は，特許法第２９条第２項の規定により特許を受けることができない。
　よって，結論のとおり審決する。